(57)【特許請求の範囲】
【請求項１】
カラオケ装置と、前記カラオケ装置と通信可能なサーバー装置と、を備えるカラオケシステムであって、
前記サーバー装置は、楽曲及びグループに対応する複合歌唱情報を記憶し、
前記カラオケ装置は、受信処理と、再生処理と、記録処理と、送信処理と、を実行可能とし、
前記受信処理は、歌唱ユーザーによって指定された楽曲について、楽曲の指定を行った歌唱ユーザーが属するグループ、もしくは、当該歌唱ユーザーが使用している前記カラオケ装置が属するグループに対応する複合歌唱情報を、前記サーバー装置から受信し、
前記再生処理は、複合歌唱情報と、複合歌唱情報に対応する演奏情報を再生し、
前記記録処理は、前記再生処理中、マイクロホンから入力される歌唱音声を単位歌唱情報として記録し、
前記送信処理は、前記記録処理で記録した単位歌唱情報を含んだ送信情報を前記サーバー装置に送信し、
前記カラオケ装置もしくは前記サーバー装置の少なくとも一方において、評価処理と、形成処理とを実行し、
前記評価処理は、前記再生処理で再生された複合歌唱情報と、前記再生処理中、前記マイクロホンから入力された歌唱音声の両方を含んだ音声を対象として歌唱評価を行い、
前記形成処理は、前記再生処理で再生された複合歌唱情報と、前記記録処理で記録された単位歌唱情報とを含む新たな複合歌唱情報を形成することを特徴とする
カラオケシステム。
【請求項２】
前記カラオケ装置は、前記評価処理で行われた歌唱評価の結果を通知する通知処理を実行することを特徴とする
請求項１に記載のカラオケシステム。
【請求項３】
前記通知処理は、歌唱評価の結果について、グループ間の順位を通知することを特徴とする
請求項２に記載のカラオケシステム。
【請求項４】
歌唱ユーザーに楽曲を指定させる際、指定候補となる楽曲について、当該歌唱ユーザーもしくは当該歌唱ユーザーが使用しているカラオケ装置が属するグループの歌唱評価の順位を表示することを特徴とする
請求項１から請求項３の何れか１項に記載のカラオケシステム。
【請求項５】
前記再生処理で再生した複合歌唱情報に、今回、歌唱した歌唱ユーザーが含まれている場合、複合歌唱情報中、当該歌唱ユーザーによる歌唱を、単位歌唱情報に入れ替えて、前記評価処理、前記形成処理の少なくとも一方を実行することを特徴とする
請求項１から請求項４の何れか１項に記載のカラオケシステム。
【請求項６】
今回、歌唱した歌唱ユーザーの歌唱評価の結果が、同歌唱ユーザーによって以前に行われた歌唱の歌唱評価の結果が上回っていた場合、以前に行われた歌唱を今回形成された単位歌唱情報に入れ替えた形態で複合歌唱情報を形成することを特徴とする
請求項５に記載のカラオケシステム。
【請求項７】
前記再生処理は、複合歌唱情報に参加した歌唱ユーザーのユーザー名を表示することを特徴とする
請求項１から請求項６の何れか１項に記載のカラオケシステム。
【請求項８】
前記再生処理は、ユーザー名に対応付けて、当該ユーザーもしくは当該ユーザーの歌唱に関連する情報を表示することを特徴とする
請求項７に記載のカラオケシステム。
【請求項９】
サーバー装置と通信可能なカラオケ装置であって、
前記サーバー装置は、楽曲及びグループに対応する複合歌唱情報を記憶し、
前記カラオケ装置は、受信処理と、再生処理と、記録処理と、送信処理と、通知処理と、を実行可能とし、
前記受信処理は、歌唱ユーザーによって指定された楽曲について、楽曲の指定を行った歌唱ユーザーが属するグループ、もしくは、当該歌唱ユーザーが使用している前記カラオケ装置が属するグループに対応する複合歌唱情報を、前記サーバー装置から受信し、
前記再生処理は、複合歌唱情報と、複合歌唱情報に対応する演奏情報を再生し、
前記記録処理は、前記再生処理中、マイクロホンから入力される歌唱音声を単位歌唱情報として記録し、
前記送信処理は、前記記録処理で記録した単位歌唱情報を含んだ送信情報を前記サーバー装置に送信し、
前記通知処理は、前記再生処理で再生された複合歌唱情報と、前記再生処理中、前記マイクロホンから入力された歌唱音声の両方を含んだ音声を対象として行われた歌唱評価の結果を通知することを特徴とする
カラオケ装置。
【発明の詳細な説明】
【技術分野】
【０００１】
本発明は、複数の歌唱音声を重ねて合唱を楽しむことのできるカラオケシステム、及び、カラオケ装置に関する。特に、合唱の歌唱評価をグループ間で競うことのできるカラオケシステム、カラオケ装置に関する。
【背景技術】
【０００２】
従来、楽曲の演奏に合わせて歌唱を楽しむカラオケが知られている。カラオケボックス等のカラオケ施設では、知人等が集まって歌唱が楽しまれている。このようなカラオケでは、採点することで歌唱評価を行い、歌唱したユーザーの歌唱力を数値化することが行われている。特許文献１には、歌唱力に関する通信カラオケ管理システムが開示されている。この通信カラオケ管理システムでは、通信カラオケ端末から送られてきた登録者ＩＤ及び歌唱採点に基づき、登録者ＩＤが所属する団体毎に歌唱採点の平均値を算出することで、団体毎のランキングを表示することが可能である。
【先行技術文献】
【特許文献】
【０００３】
【特許文献１】特開２００６−１１２３５号公報
【発明の概要】
【発明が解決しようとする課題】
【０００４】
しかしながら、特許文献１に開示される通信カラオケ管理システムは、団体間のランキングを算出するものではあるが、参加するユーザーは１人で歌唱を行うため団体における一体感あるいは団体に対する所属感は薄いものであった。
【課題を解決するための手段】
【０００５】
本発明は、このような課題を解決することを目的とするものであって、以下の構成を採用したことを特徴としている。
カラオケ装置と、前記カラオケ装置と通信可能なサーバー装置と、を備えるカラオケシステムであって、
前記サーバー装置は、楽曲及びグループに対応する複合歌唱情報を記憶し、
前記カラオケ装置は、受信処理と、再生処理と、記録処理と、送信処理と、を実行可能とし、
前記受信処理は、歌唱ユーザーによって指定された楽曲について、楽曲の指定を行った歌唱ユーザーが属するグループ、もしくは、当該歌唱ユーザーが使用している前記カラオケ装置が属するグループに対応する複合歌唱情報を、前記サーバー装置から受信し、
前記再生処理は、複合歌唱情報と、複合歌唱情報に対応する演奏情報を再生し、
前記記録処理は、前記再生処理中、マイクロホンから入力される歌唱音声を単位歌唱情報として記録し、
前記送信処理は、前記記録処理で記録した単位歌唱情報を含んだ送信情報を前記サーバー装置に送信し、
前記カラオケ装置もしくは前記サーバー装置の少なくとも一方において、評価処理と、形成処理とを実行し、
前記評価処理は、前記再生処理で再生された複合歌唱情報と、前記再生処理中、前記マイクロホンから入力された歌唱音声の両方を含んだ音声を対象として歌唱評価を行い、
前記形成処理は、前記再生処理で再生された複合歌唱情報と、前記記録処理で記録された単位歌唱情報とを含む新たな複合歌唱情報を形成することを特徴とする。
【０００６】
さらに本発明に係るカラオケ装置は、前記評価処理で行われた歌唱評価の結果を通知する通知処理を実行することを特徴とする。
【０００７】
さらに本発明に係るカラオケシステムにおいて、
前記通知処理は、歌唱評価の結果について、グループ間の順位を通知することを特徴とする。
【０００８】
さらに本発明に係るカラオケシステムは、
歌唱ユーザーに楽曲を指定させる際、指定候補となる楽曲について、当該歌唱ユーザーもしくは当該歌唱ユーザーが使用しているカラオケ装置が属するグループの歌唱評価の順位を表示することを特徴とする。
【０００９】
さらに本発明に係るカラオケシステムは、
前記再生処理で再生した複合歌唱情報に、今回、歌唱した歌唱ユーザーが含まれている場合、複合歌唱情報中、当該歌唱ユーザーによる歌唱を、単位歌唱情報に入れ替えて、前記評価処理、前記形成処理の少なくとも一方を実行することを特徴とする。
【００１０】
さらに本発明に係るカラオケシステムは、
今回、歌唱した歌唱ユーザーの歌唱評価の結果が、同歌唱ユーザーによって以前に行われた歌唱の歌唱評価の結果が上回っていた場合、以前に行われた歌唱を今回形成された単位歌唱情報に入れ替えた形態で複合歌唱情報を形成することを特徴とする。
【００１１】
さらに本発明に係るカラオケシステムにおいて、
前記再生処理は、複合歌唱情報に参加した歌唱ユーザーのユーザー名を表示することを特徴とする。
【００１２】
さらに本発明に係るカラオケシステムにおいて、
前記再生処理は、ユーザー名に対応付けて、当該ユーザーもしくは当該ユーザーの歌唱に関連する情報を表示することを特徴とする。
【００１３】
また本発明に係るカラオケ装置は、
サーバー装置と通信可能なカラオケ装置であって、
前記サーバー装置は、楽曲及びグループに対応する複合歌唱情報を記憶し、
前記カラオケ装置は、受信処理と、再生処理と、記録処理と、送信処理と、通知処理と、を実行可能とし、
前記受信処理は、歌唱ユーザーによって指定された楽曲について、楽曲の指定を行った歌唱ユーザーが属するグループ、もしくは、当該歌唱ユーザーが使用している前記カラオケ装置が属するグループに対応する複合歌唱情報を、前記サーバー装置から受信し、
前記再生処理は、複合歌唱情報と、複合歌唱情報に対応する演奏情報を再生し、
前記記録処理は、前記再生処理中、マイクロホンから入力される歌唱音声を単位歌唱情報として記録し、
前記送信処理は、前記記録処理で記録した単位歌唱情報を含んだ送信情報を前記サーバー装置に送信し、
前記通知処理は、前記再生処理で再生された複合歌唱情報と、前記再生処理中、前記マイクロホンから入力された歌唱音声の両方を含んだ音声を対象として行われた歌唱評価の結果を通知することを特徴とする。
【発明の効果】
【００１４】
本発明に係るカラオケシステム、カラオケ装置によれば、歌唱ユーザーもしくは歌唱ユーザーが使用しているカラオケ装置が属するグループに対応する複合歌唱情報を受信し、受信した複合歌唱情報と一緒に歌唱を行い、属するグループに対する歌唱評価を行うことで、属するグループに対する一体感あるいはグループに対する所属感を高揚させ、属するグループ間での競い合いをより一層楽しいものとすることが可能となる。
【００１５】
さらに本発明によれば、カラオケ装置において、評価処理で行われた歌唱評価の結果を通知する通知処理を実行することで、歌唱後にユーザーは、属するグループの歌唱評価を知ることが可能となる。
【００１６】
さらに本発明によれば、カラオケ装置において、歌唱評価の結果について、グループ間の順位を通知することで、歌唱後にユーザーは、属するグループの順位を知ることが可能となる。
【００１７】
さらに本発明によれば、歌唱ユーザーに楽曲を指定させる際、指定候補となる楽曲について、当該歌唱ユーザーもしくは当該歌唱ユーザーが使用しているカラオケ装置が属するグループの歌唱評価の順位を表示することとしている。このような構成により、ユーザーは歌唱評価の順位を参照しつつ、楽曲を選択、指定することが可能となる。
【００１８】
さらに本発明によれば、再生処理で再生した複合歌唱情報に、今回、歌唱した歌唱ユーザーが含まれている場合、複合歌唱情報中、当該歌唱ユーザーによる歌唱を、単位歌唱情報に入れ替えて、評価処理、形成処理の少なくとも一方を実行することとしている。このような構成により、同じユーザーによる歌唱を制限することが可能となる。
【００１９】
さらに本発明によれば、再生処理において、複合歌唱情報に参加した歌唱ユーザーのユーザー名を表示することで、属するグループにおける一体感あるいはグループに対する所属感を一層、高揚させることが可能となる。
【図面の簡単な説明】
【００２０】
【図１】本実施形態のカラオケシステムの構成を示す図（図１修正あり。マイクロホン番号）
【図２】本実施形態の合唱曲選択画面を示す図
【図３】本実施形態のランキング確認画面を示す図    （図３修正あり。Aさんの所属する「愛知県）は、現在２位です）
【図４】本実施形態の各種情報のデータ構成を示す図
【図５】本実施形態の楽曲再生処理を示すフロー図
【図６】本実施形態の楽曲再生画面を示す図
【図７】本実施形態のアップロード情報のデータ構成を示す図
【図８】本実施形態のサーバー側処理を示すフロー図
【図９】本実施形態の結果表示画面を示す図
【発明を実施するための形態】
【００２１】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００２２】
カラオケボックスなどの店舗に設置されるカラオケ装置２は、楽曲を演奏するための演奏部として音響制御部２５を備えている。また、カラオケ装置２は、ユーザーからの各種入力を受け付ける操作部２１を備える。カラオケ装置２は、操作部２１からの入力を解釈してＣＰＵ３０に伝達する操作処理部２２を備える。また、カラオケ装置２は、各種情報を記憶する記憶部としてのハードディスク３２を備える。カラオケ装置２は、ＬＡＮ１００に接続してネットワークに加入する通信手段としてのＬＡＮ通信部２４を備えている。
【００２３】
カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００２４】
さらに、このカラオケ装置２では、外部に接続されるモニタ４１以外に、タッチパネルモニタ３３に対して各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。このタッチパネルモニタ３３は、カラオケ装置２の操作部、あるいは、リモコン装置１のタッチパネルモニタ１１などと同様、入力部として機能する。ユーザーは、タッチパネルモニタ３３にて楽曲を選択することで、直接カラオケ装置２に予約をさせる等、カラオケ装置２に対する各種操作を行うことが可能である。
【００２５】
さらに、カラオケ装置２は、各構成を統括して制御するためのＣＰＵ３０、各種プログラムを実行するにあたって必要となる情報を一時記憶するためのメモリ２７を備えて構成される。ＣＰＵ３０、メモリ２７は、カラオケ装置２において各種処理を実行する制御部を構成する。
【００２６】
このような構成にてカラオケ装置２は、各種処理を実行することとなるが、カラオケ装置２の主な機能として、楽曲予約処理、楽曲再生処理を実行可能としている。楽曲予約処理は、ユーザーからの指定に基づいて楽曲を指定、予約するための処理である。楽曲予約処理では、リモコン装置１、あるいは、カラオケ装置２のユーザーインターフェイスを使用して指定された予約情報をメモリ２７中の予約テーブルに登録する。楽曲再生処理は、予約された楽曲を再生させる処理であって、楽曲演奏処理と歌詞再生処理とが同期して実行される処理である。
【００２７】
楽曲演奏処理は、楽曲情報に含まれる演奏情報に基づき、音響制御部２５に演奏を実行させる処理である。音響制御部２５にて演奏された楽曲は、マイクロホン４３ａ、４３ｂから入力される歌唱音声と一緒にスピーカ４２から放音される。歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。
（図１、マイクロホン番号を訂正してください
誤：４４ａ、４４ｂ
正：４３ａ，４３ｂ）
【００２８】
また、カラオケ装置２には、カメラ４４が接続されており、カメラ４４で撮像された映像をカラオケ装置２に取り込むことが可能である。本実施形態では、カメラ４４で撮像された映像（静止画または動画）を、合唱に参加したユーザーのプロフィールとして記録する。
【００２９】
一方、リモコン装置１は、歌唱する楽曲を選択する選曲処理を実行可能とし、予約情報等、カラオケ装置２に対して各種指示を送信可能としている。また、リモコン装置１は、カラオケ装置２あるいはインターネット上に接続されたサーバー装置５から各種情報を受信し、ユーザーに対して各種情報を提供することも可能である。本実施形態では、ユーザーから各種指示を受け付けるユーザーインターフェイスとして、操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザーからのタッチ入力を受付可能としている。
【００３０】
さらにリモコン装置１は、楽曲検索に必要とされるデータベース、各種プログラム、並びに、プログラム実行に伴って発生する各種情報を記憶する記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００３１】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３２】
このようなリモコン装置１の構成により、ユーザーからの各種入力をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能である。
【００３３】
本実施形態では、楽曲を予約して歌唱を行う通常モードの他、ユーザー（もしくはカラオケ装置２）の属性で規定されるグループで一緒に歌唱を楽しむ合唱モードを選択することが可能である。さらに、合唱モードではグループの歌唱音声について歌唱評価を行い、グループ間で歌唱評価を競うことが可能である。
【００３４】
図２には、合唱モードにおいて楽曲（合唱曲）を選択するための合唱曲選択画面が示されている。本実施形態のカラオケシステムは、複数のユーザーが同時にログインして使用することが可能である。ユーザーはログインすることで、自己のユーザー情報を使用した各種サービスを受けることが可能である。ユーザーが受けることのできるサービスとしては、ユーザーが登録したお気に入り楽曲、履歴、お気に入りアーティスト（歌手）を使用した楽曲検索、あるいは、ユーザーの属性に応じた楽曲の推奨等がある。図２に示す楽曲確認画面の上方には、カラオケシステムにログインしているユーザーに関する情報が表示されている。ログインユーザー欄１０３には、カラオケシステムにログインしているユーザーの分身像１０３ａ〜１０３ｅ（本実施形態では顔部分）が表示される。またログインユーザー欄１０３中、右端に背景がハイライト（白色）で示されるユーザーは、アクティブユーザー１０３ｅ（この例ではＡさん）であって、アクティブユーザー１０３ｅに対するサービス、すなわち、アクティブユーザー１０３ｅのユーザー情報を利用したサービスが実行されている状態となっている。アクティブユーザーの切り替えは、ユーザー切り替えボタン１０１を操作することで行うことが可能である。また、ユーザー登録していないユーザーは、ゲストボタン１０２を操作することで、ゲストユーザーとしてカラオケシステムを使用することが可能である。
【００３５】
合唱曲選択画面には、合唱モードで使用可能な楽曲の曲名（合唱曲名）が複数表示されている。図２の例では、５曲の合唱曲名が表示されているが、画面右に表示された前ボタン、次ボタンを操作することでページを切り替えて、他の合唱曲を表示させることも可能である。本実施形態では、会員登録されたユーザーのユーザー属性情報を使用して、ユーザーのグループ分けを行っている。図４（Ａ）には、ユーザー属性情報のデータ構成が記載されている。ユーザー属性情報は、会員登録時、ユーザーによって登録された情報であって、ユーザーＩＤに、ユーザーに関する各種属性が対応付けられている。本実施形態では、ユーザーの属性として、居住地の都道府県、市町村、年齢、性別等を含んで構成されている。このユーザー属性情報は、サーバー装置５で記憶管理され、ユーザーがカラオケシステムにログインすることで、参照することが可能である。
【００３６】
図２の合唱曲選択画面では、このユーザー属性情報の内、ユーザーの居住地を示す「都道府県」をグループ分けに使用している。図２に示す例は、アクティブユーザーであるＡさんの居住地が「愛知県」である場合を示している。各合唱曲名には、Ａさんが属するグループでの歌唱評価の順位が併記されている。ユーザーは、各合唱曲について、自分が属するグループの現在の順位を確認することが可能である。他のグループの順位等、更に詳しい情報を参照したい場合、合唱曲名の右隣に「ランキングを見る」と表記されたボタンを操作することで、当該合唱曲のランキング確認画面を表示させることが可能である。
【００３７】
図３には、合唱曲名「愛してる」についてランキング確認画面を示した例である。ランキング確認画面には、合唱曲名に加え、全てのグループについて順位を示したランキング表示欄が表示されている。ランキング表示欄では、全てのグループ（この場合、都道府県別）について、歌唱評価結果（この場合、平均歌唱得点）と、歌唱評価結果の順位が示されている。なお、ランキング表示欄の右に表示されているスライドバーを移動させることで、表示されていない他のグループの情報を見ることが可能である。本実施形態では、ランキング表示欄中、自分（アクティブユーザー）が属するグループ（この例では、愛知県）とその歌唱評価結果が枠を囲うことで、自分が属するグループを識別し易くしている。
【００３８】
合唱曲選択画面あるいはランキング確認画面で合唱に参加する合唱曲を決定したユーザーは、両画面に表示されている予約ボタンを操作することで合唱曲の予約を確定する。予約を確定することで予約情報が形成される。カラオケ装置２は、カラオケ装置２のメモリ２７で管理する予約テーブルに、受信した予約情報を順次記憶して、楽曲再生処理を実行する。
【００３９】
図４（Ｂ）には、本実施形態で使用する予約情報のデータ構成が示されている。予約情報は、楽曲を特定するための楽曲ＩＤ、予約を行ったユーザー（アクティブユーザー）を特定するユーザーＩＤ、合唱指定フラグを有して構成されている。合唱指定フラグは、通常モードで予約を行った場合には、合唱指定なしを示す「０」が割り当てられ、合唱モードで予約を行った場合には「１」が割り当てられる。また、合唱モードで予約を行った場合には、ユーザーが属するグループを示すグループＩＤが付与される。図２、図３の例で予約を行った場合、Ａさんが属するグループ（愛知県）を示すグループＩＤが予約情報に付与される。
【００４０】
図５は、本実施形態の楽曲再生処理を示すフロー図である。カラオケ装置２は、予約テーブルのチェックを行い（Ｓ１０１）、次に再生すべき再生の楽曲があると判定した場合（Ｓ１０２：Ｙｅｓ）、予約情報の合唱指定フラグを参照し、合唱指定された楽曲か否かが判定される。合唱指定されていない楽曲の場合（Ｓ１０３：Ｎｏ）、通常楽曲再生（Ｓ１０２）を実行する。一方、合唱指定された楽曲の場合（Ｓ１０３：Ｙｅｓ）、処理対象となる予約情報のグループＩＤを参照し、予約したユーザーが属するグループを判定する（Ｓ１０４）。そして、サーバー装置５にアクセスし、予約した楽曲とユーザーが属するグループに対応する合唱関連情報を受信する（Ｓ１０５）。
【００４１】
合唱関連情報は、ユーザーが予約した楽曲について、ユーザーと同じグループに所属するユーザーによって歌唱された歌唱音声を含んで構成された情報である。この合唱関連情報をサーバー装置５からダウンロードして、歌唱音声を再生することで、ユーザーと同じグループに所属するユーザーとの合唱を行うことが可能である。
【００４２】
図４（Ｃ）には、本実施形態で使用する合唱関連情報のデータ構成が示されている。合唱関連情報は、楽曲ＩＤ、グループＩＤ、これまでに行われた歌唱音声をミキシングした複合歌唱情報、平均歌唱得点、グループ間順位、参加ユーザー情報を含んで構成されている。平均歌唱得点は、これまでに行われた歌唱の歌唱評価について算出された歌唱得点の平均である。グループ間順位は、平均歌唱得点に基づいて判定された順位であって、楽曲ＩＤに対応する楽曲に関するグループ間での順位である。参加ユーザー情報は、複合歌唱情報に参加したユーザーに関する情報であって、ユーザーＩＤ、ユーザー名、各ユーザーの参加回数を含んで構成されている。本実施形態では、この参加ユーザー情報を使用して、楽曲再生中に合唱に参加したユーザーに関する情報を表示することとしている。
【００４３】
合唱関連情報の受信を終え、準備が整ったら、予約情報に記述された楽曲ＩＤに対応する楽曲情報を読み出して演奏を開始する（Ｓ１０６）。図４（Ｄ）は、楽曲情報のデータ構成を示した図である。楽曲情報は、楽曲情報に関連する各種情報であるメタ情報と、演奏や歌詞の表示といった各種処理を実行するための実情報を有している。メタ情報には、楽曲情報を識別するための楽曲ＩＤ、曲名、歌手名、作詞者名、作曲者名を有して構成されている。
【００４４】
楽曲情報の実情報には、演奏情報、歌詞情報、基準音高情報が含まれている。演奏情報は、ＭＩＤＩ規格に基づいて電子楽器用の制御情報、あるいは、実際の演奏を録音した圧縮音声情報等を含んで構成された、カラオケの伴奏音を演奏するための情報である。歌詞情報は、歌唱補助のため、演奏情報に同期して表示される情報であり、演奏に同期して表示された歌詞の色替えを行うように構成してもよい。基準音高情報は、歌唱する旋律を規定した情報であって、本実施形態では、歌唱評価（採点）に使用される。この基準音高情報は、演奏情報に含めて構成することも可能である。
【００４５】
楽曲を演奏する際、受信した合唱関連情報中の複合歌唱情報も同期して再生する。合唱関連情報を合わせて再生することで、歌唱するユーザーは、同じグループ（図２の場合、愛知県）に属するユーザーとの合唱を楽しむことが可能となる。楽曲の演奏期間中、マイクロホン４３ａ、４３ｂから入力される歌唱音声を録音し、単位歌唱情報として記録する録音処理を実行する（Ｓ１０７、「記録処理」に相当）。本実施形態では、今回、新たに合唱に参加したユーザーの歌唱音声のみを記録している。
【００４６】
また楽曲の演奏期間中、モニタ４１に各種表示を行う表示処理（Ｓ１０８）を実行する。この表示処理では、従来、カラオケ装置２で行われていた、背景表示、歌詞表示に加え、これまでの合唱に参加したユーザーに関する各種情報を表示する参加ユーザー表示が行われる。図６（Ａ）には、楽曲演奏中、表示処理にて表示されるモニタ４１の表示画面が示されている。楽曲演奏中の演奏画面には、歌詞情報に基づいて歌詞表示を行うための歌詞表示領域Ｅ、歌唱ユーザーが属するグループ名が表示されるグループ名表示欄Ｃ１、合唱に参加したユーザーに関する情報が表示される参加ユーザー表示欄Ｃ２が設けられている。また、これら表示欄の背景には背景映像が表示されている。
【００４７】
参加ユーザー表示欄Ｃ２には、受信した合唱関連情報中の参加ユーザー情報に基づいて表示が行われる。図６（Ｂ）には、参加ユーザー表示欄Ｃ２の表示例が示されている。本実施形態では、参加ユーザー表示欄Ｃ２に、各参加ユーザーについての関連情報Ｃ３を、映画のスタッフロールのように下から上へとスクロール表示させる。関連情報Ｃ３としては、参加ユーザー情報中のユーザー名と参加回数が表示される。本実施形態では、１ユーザーについて１つの関連情報Ｃ３を表示させる形態であって、参加回数を表示することで同じユーザーを重複表示しないようにしている。なお、関連情報Ｃ３の表示順は、ユーザー名順、参加回数順、あるいは、合唱に参加した順で表示する等、適宜形態を採用することが可能である。
【００４８】
演奏が終了したことが判定される（Ｓ１０９：Ｙｅｓ）と、録音した単位歌唱情報に対して歌唱評価処理（Ｓ１１０）が実行される。この歌唱評価処理（Ｓ１１０）は、楽曲情報中の基準音高情報と、単位歌唱情報の音高とを比較すること等により、歌唱ユーザーの歌唱力を評価する処理である。歌唱評価の結果は歌唱得点として出力される。本実施形態で算出される歌唱得点は、今回、新たに歌唱を行ったユーザーの歌唱評価である。そのため、ユーザーが属するグループの総合的な歌唱評価（本実施形態では、平均歌唱得点）を算出するには、これまでの単位歌唱情報について歌唱得点を記憶しているサーバー装置５と通信を行う必要がある。
【００４９】
結果送信処理（Ｓ１１１）では、今回行われた歌唱得点をサーバー装置５に送信する。また、新たな複合歌唱情報を形成するため、今回の歌唱で録音された単位歌唱情報もサーバー装置５に送信する。図７には、結果送信処理（Ｓ１１１）でサーバー装置５に送信されるアップロード情報のデータ構成が示されている。アップロード情報は、歌唱した楽曲を示す楽曲ＩＤ、歌唱したユーザーのユーザーＩＤ、歌唱したユーザーが属するグループを示すグループＩＤ、録音処理（Ｓ１０７）で録音された単位歌唱情報、歌唱評価処理（Ｓ１１０）の歌唱評価結果を示す歌唱得点を含んで構成されている。
【００５０】
アップロード情報を受信したサーバー装置５は、図８に示すサーバー側処理を実行する。カラオケ装置２からアップロード情報を受信した場合（Ｓ２０１：Ｙｅｓ）、受信したアップロード情報を、記憶部５１で管理するデータベースに登録する（Ｓ２０２）。そして、受信したアップロード情報に対応する合唱関連情報を記憶部５１で管理するデータベースから取得する（Ｓ２０３）。この合唱関連情報は、アップロード情報中の楽曲ＩＤ及びグループＩＤに対応する情報であって、楽曲再生処理で受信（Ｓ１０５）して使用した合唱関連情報と同一である。
【００５１】
受信したアップロード情報中の単位歌唱情報と、取得した合唱関連情報中の複合歌唱情報をミキシング処理（Ｓ２０４、「形成処理」に相当）して、新たな複合歌唱情報を形成する。ミキシング処理（Ｓ２０４）を行うことで、新たに歌唱したユーザーの歌唱音声が複合歌唱情報に加えられる。そして、アップロード情報に含まれる歌唱得点と、複合歌唱情報に含まれる平均歌唱得点、及び、参加回数の合計に基づいて、新たな平均歌唱得点が算出される（Ｓ２０５）。この平均歌唱得点の算出は、いわば、新たに歌唱した音声と過去に歌唱した歌唱音声の両方を含んだ音声に対する歌唱評価処理ということができる。そして、算出された平均歌唱得点を、同一楽曲について登録されている他のグループの平均歌唱得点と比較してグループ間順位を判定する（Ｓ２０６）。Ｓ２０４新たに形成された複合歌唱情報、Ｓ２０５で新たに算出された平均歌唱得点、Ｓ２０６で判定されたグループ間順位、及び、アップロード情報中のユーザーＩＤに基づいて、データベースの合唱関連情報が更新される（Ｓ２０７）。また、Ｓ２０６で算出されたグループ間順位はカラオケ装置２に送信される（Ｓ２０８）。
【００５２】
カラオケ装置２は、順位受信処理（Ｓ１１２）でサーバー装置５からグループ間順位を受信し、結果表示処理（Ｓ１１３）を実行する。図９は、結果表示処理（Ｓ１１３）でモニタ４１に表示される結果表示画面を示した図である。結果表示画面には、今回歌唱した楽曲について楽曲名、歌唱したユーザー（Ａさん）の歌唱得点、並びに、ユーザー（Ａさん）が所属するグループについて、グループ名（この場合、愛知県）、楽曲が歌唱された回数（３１回）、前回（歌唱前）のグループの順位（２位）と平均歌唱得点、そして、今回の歌唱によるグループの順位（１位）と平均歌唱得点が表示される。ユーザーはこの結果表示画面で、自己の歌唱評価とグループの歌唱評価（グループ間の順位と平均歌唱得点）を参照することが可能である。
【００５３】
以上、本実施形態では、歌唱ユーザーもしくは歌唱ユーザーが使用しているカラオケ装置が属するグループに対応する複合歌唱情報を受信し、受信した複合歌唱情報と一緒に歌唱を行い、属するグループに対する歌唱評価を行うことで、属するグループに対する一体感あるいはグループに対する所属感を高揚させ、属するグループ間での競い合いをより一層楽しいものとすることを可能としている。
【００５４】
本発明は、説明した実施形態以外に、各種変形例を採用することが可能である。以下に本発明の取り得る変形例に説明する。
【００５５】
（変形例１）
説明した実施形態では、ユーザー属性情報中の「都道府県」を使用し、ユーザーが属するグループを判定することとしているが、ユーザーが属するグループには、ユーザー属性情報中の各種項目を使用することが可能である。例えば、「都道府県」よりもさらに詳細に「市町村」別でグループ分けすることや、年齢を使用して年代別にグループ分けすること、あるいは、性別でグループ分けすること等が考えられる。あるいは、ユーザー情報中の複数の項目を使用してグループ分けすることとしてもよい。例えば、都道府県と性別の組でグループ分けすること等が考えられる。
【００５６】
また、説明した実施形態では、ユーザー属性情報を使用してグループを判定することとしているが、このような判定に代え、使用しているカラオケ装置２の属性を使用してグループ分けすることとしてもよい。カラオケ装置２は、個別に割り当てられた装置ＩＤで管理されている。この装置ＩＤに対応付けて、設置場所の「都道府県」、設置場所の「市町村」、設置店舗、チェーン店、チェーン店の支店等を管理することが可能である。このようなカラオケ装置２の属性を使用してグループ分けを行うこととしてもよい。例えば、設置されている「都道府県」を使用してグループ分けを行い、説明した実施形態のように都道府県対抗のランキングを行うことが可能である。このような形態では、使用するカラオケ装置２の属性でグループ分けできるため、ユーザーが必ずしもログインする必要が無いため、カラオケ装置２を使用する全てのユーザーが合唱に参加することが可能である。カラオケ装置２の属性を使用したグループ分けとしては、この他、設置店舗間でランキングを競う、あるいは、異なるチェーン店（ＡチェーンとＢチェーン）間でランキングを競うことや、同じチェーン店内の支店間でランキングを競うことが考えられる。
【００５７】
（変形例２）
図６を使用して説明したように、前述の実施形態では、楽曲再生中に関連情報Ｃ３を表示することで、これまでに合唱に参加したユーザー（再生されている複合歌唱情報に含まれるユーザー）を歌唱しているユーザーに通知し、合唱の一体感を高揚させることとしていた。図６（Ｂ）の関連情報Ｃ３には、ユーザー名と参加回数を表示することとしていたが、関連情報Ｃ３で通知する項目には他の項目を採用することも可能である。例えば、図６の場合、「都道府県」別のグループでグループ分けを行っているが、当該グループを更に分けた小グループである「市町村」を、各参加ユーザーについて通知することとしてもよい。図６（Ｂ）のように「愛知県」とした場合、各ユーザーについて、例えば、名古屋市、豊田市、岡崎市のように小グループを表示することで親近感を高めることが可能となる。
【００５８】
また、通知する項目としては、参加したユーザーが登録しているアバターや写真といった分身像を表示する、あるいは、合唱に参加している最中にカメラ４４で撮像された映像（静止画あるいは動画）を表示することとしてもよい。あるいは、参加したユーザーの歌唱得点を表示することとしてもよい。この場合、関連情報Ｃ３を歌唱得点順に表示することも可能である。あるいは、ユーザー属性情報中の、年齢、性別といった項目を表示することとしてもよい。
【００５９】
（変形例３）
前述の実施形態では、カラオケ装置２側で歌唱評価処理（Ｓ１１０）を実行し、サーバー装置５側で複合歌唱情報を形成するミキシング処理（Ｓ２０４）を行うこととしているが、これらの処理は、カラオケ装置２側、サーバー装置５側、あるいは、カラオケ装置２とサーバー装置５が連携して行うこととしてもよい。
【００６０】
（変形例４）
前述の実施形態では、新たに歌唱を行ったユーザーの歌唱音声（単位歌唱情報）を歌唱評価処理（Ｓ１１０）の対象とし、過去に行われた歌唱評価との平均を取ることで、グループに対する歌唱評価（平均歌唱得点の算出）を行っていた。このような形態に代え、単位歌唱情報と複合歌唱情報をミキシングした歌唱音声を歌唱評価処理の対象としてもよい。このような形態では、歌唱評価処理を行うだけでグループに対する歌唱評価を行うことが可能であり、カラオケ装置２あるいはサーバー装置５の処理負担削減を図ることが可能である。なお、歌唱評価処理は、演奏終了後に行う形態ではなく、演奏期間中において実行することも可能である。マイクロホン４３ａ、４３ｂから入力される歌唱音声を、再生さえる複合歌唱情報とミキシングし、ミキシングされた歌唱音声を歌唱評価処理の対象としてもよい。
【００６１】
（変形例５）
前述の実施形態では、同じユーザーが複数回、合唱に参加可能としている。そのため、歌唱力の高いユーザーが何度も歌唱を行った場合、平均歌唱得点が意図的に高くされてしまうことが考えられる。そのため、同じ楽曲についてはユーザーの参加回数を制限することが、グループ間のランキングを公平なものとする上で好ましい。
【００６２】
（変形例６）
前述の実施形態では、新たに歌唱を行ったユーザーの歌唱音声（単位歌唱情報）を、従前に行われた歌唱による複合歌唱情報に追加（ミキシング）する形態としている。このような形態に代え、同じユーザーについては、以前歌唱した歌唱音声を新しく歌唱した歌唱音声に入れ替え可能としてもよい。この場合、新たな複合歌唱情報を形成する場合、形成の元になった単位歌唱情報を使用する必要がある。新たに歌唱した場合、使用した複合歌唱情報の元になった単位歌唱情報から、同じユーザーによって歌唱された単位歌唱情報を除いて、新たに録音された単位歌唱情報とミキシングすることで、以前、同じユーザーによって歌唱された歌唱音声を含まない複合歌唱情報を形成することが可能である。いわば、新たに歌唱を行うことで、同じユーザーの単位歌唱情報が更新されることになる。歌唱音声の入れ替えは、ユーザー自身で入れ替え、もしくは、追加を選択する、あるいは、新たに歌唱を行うことで、自動的に入れ替えが行われることが考えられる。
【００６３】
あるいは、所定条件を満たした場合に入れ替えることとしてもよい。例えば、新たな歌唱による歌唱評価結果（歌唱得点）が、同じユーザーが前に歌唱したときの歌唱評価結果を上回っていた場合、新たな複合歌唱情報に含める単位歌唱情報を入れ替えることとしてもよい。この場合、歌唱評価結果についても入れ替えを行うことが好ましい。このような形態を採用することで、同じユーザーの参加回数を制限するとともに、同じユーザーが何度で合唱に参加し、自己、及び、グループの歌唱評価結果の向上に挑戦することが可能となる。なお、同じユーザーについて単位歌唱情報は、所定個数（例えば、ｎ個）、複合歌唱情報に含めることとしてもよい。その場合、ｎ個を超えて歌唱した場合、最も歌唱評価結果が低い単位歌唱情報が入れ替えの対象となる。
【００６４】
以上、本実施形態では、カラオケ装置２について実行される形態について説明したが、カラオケ装置２に限ること無く、パーソナルコンピュータ、ゲーム装置、あるいは、スマートフォンなど、各種情報処理装置において本機能を実行するカラオケ用プログラムも本発明の範疇に属するものである。
【符号の説明】
【００６５】
１（１ａ、１ｂ）：リモコン装置          ２７：メモリ
２：カラオケ装置                        ２８：ビデオＲＡＭ
１１：タッチパネルモニタ                ２９：映像再生部
１１ａ：表示部                          ３０：ＣＰＵ
１１ｂ：タッチパネル                    ３１：映像制御部
１２：ビデオＲＡＭ                      ３２：ハードディスク
１３：映像制御部                        ３３：タッチパネルモニタ
１４：メモリ                            ３４：タッチパネル
１５：ＣＰＵ                            ３５：表示部
１６：無線ＬＡＮ通信部                  ４１：モニタ
１７：操作部                            ４２：スピーカ
１８：操作処理部                        ４３ａ、４３ｂ：マイクロホン
２１：操作部                            ４４：カメラ
２２：操作処理部                        ５：サーバー装置
２４：ＬＡＮ通信部                      ５１：記憶部
２５：音響制御部
【図１】
0006561729.tif 000002
【図２】
0006561729.tif 000003
【図３】
0006561729.tif 000004
【図４】
0006561729.tif 000005
【図５】
0006561729.tif 000006
【図６】
0006561729.tif 000007
【図７】
0006561729.tif 000008
【図８】
0006561729.tif 000009
【図９】
0006561729.tif 000010